(57)【要約】【課題】ファンを駆動させるモータに対して安定的に電力を供給する。【解決手段】モータにより駆動するファンを有する送風ユニット２と、送風ユニット２に電力を供給する電源ユニット３とを備える空調衣服用送風機１であて、送風ユニット２は、ファンを収容する第１筐体６を備え、電源ユニット３は、電池を収容する第２筐体８を備え、第１筐体６は、電源ユニット３により供給される電力を通電可能な第１接触部１４を備え、第２筐体８は、第１接触部１４に対応する位置に配置されるとともに、第１接触部１４に当接する第２接触部１６を備え、第１筐体６と第２筐体８とは、互いに着脱自在に係合可能な形状を備えることを特徴とする。【選択図】図２
2020063532.tif 000002
【特許請求の範囲】
【請求項１】
モータにより駆動するファンを有する送風ユニットと、前記送風ユニットに電力を供給する電源ユニットとを備える空調衣服用送風機であって、
前記送風ユニットは、
前記ファンを収容する第１筐体、
を備え、
前記電源ユニットは、
電池を収容する第２筐体、
を備え、
前記第１筐体は、
前記電源ユニットにより供給される電力を通電可能な第１接触部、
を備え、
前記第２筐体は、
前記第１接触部に対応する位置に配置されるとともに、前記第１接触部に当接する第２接触部、
を備え、
前記第１筐体と前記第２筐体とは、互いに着脱自在に係合可能な形状を備えることを特徴とする空調衣服用送風機。
【請求項２】
前記第１筐体は、
端部から外方に延出する第１フランジ、
をさらに備え、
前記第２筐体は、
前記第１筐体と係合する際に前記第１フランジと当接する第１受け部、
をさらに備え、
前記第１筐体と前記第２筐体とが係合する際に、前記第１フランジと前記第１受け部との間に、空調衣服に形成される取付孔の周縁を挟持可能であることを特徴とする請求項１に記載の空調衣服用送風機。
【請求項３】
前記第２筐体は、
端部から外方に延出する第２フランジ、
をさらに備え、
前記第１筐体は、
前記第２筐体と係合する際に前記第２フランジと当接する第２受け部、
をさらに備え、
前記第１筐体と前記第２筐体とが係合する際に、前記第２フランジと前記第２受け部との間に、空調衣服に形成される取付孔の周縁を挟持可能であることを特徴とする請求項１に記載の空調衣服用送風機。
【請求項４】
前記第２筐体は、
薬剤を収納可能な収納部、
をさらに備え、
前記収納部は、前記第１筐体に対向する側に通気部を有することを特徴とする請求項１乃至３のいずれかに記載の空調衣服用送風機。
【請求項５】
前記第１筐体は、
薬剤を収納可能な収納部、
をさらに備え、
前記収納部は、気体の流動方向において前記ファンの前方に配設されることを特徴とする請求項１乃至３のいずれかに記載の空調衣服用送風機。
【請求項６】
請求項１乃至５のいずれかに記載の空調衣服用送風機を取り付け可能な取付孔を備える空調衣服。
【請求項７】
袖部の基端側に形成されるとともに、前記袖部の内側の通気量を調整可能な通気調整部、
をさらに備える請求項６に記載の空調衣服。
【請求項８】
ファンを駆動させるモータと電源部とを備える本体部と、前記本体部と係合する背面カバーとを備え、前記本体部と前記背面カバーとが分離可能に係合して空調衣服に装着可能な空調衣服用送風機であって、
前記本体部は、
前記電源部に接続する通電可能な第３接触部と、
前記モータに接続する通電可能な第４接触部と、
を備え、
前記背面カバーは、
前記第３接触部及び前記第４接触部と当接する導電部、
を備え、
前記導電部は、前記本体部と前記背面カバーとが係合する際に、前記第３接触部に当接するとともに前記第４接触部に当接して、前記電源部から前記モータに供給される電力を中継することを特徴とする空調衣服用送風機。
【請求項９】
前記本体部は、
前記背面カバーと係合する第１係止部、
をさらに備え、
前記背面カバーは、
前記本体部の前記第１係止部と係合する第２係止部、
をさらに備え、
前記第３接触部及び前記第４接触部は、前記第１係止部において互いに分離して配設され、
前記導電部は、前記第２係止部において前記第３接触部及び前記第４接触部に対応する位置に配設されることを特徴とする請求項８に記載の空調衣服用送風機。
【発明の詳細な説明】
【技術分野】
【０００１】
本発明は、空調衣服用送風機及び空調衣服に関し、特に電源を供給する技術に関する。
【背景技術】
【０００２】
従来、送風手段であるファンに電力を供給する電源手段として、二次電池を格納した筐体とファンとをケーブルにより接続する送風機が提供されている（例えば特許文献１）。この従来の送風機を空調衣服に装着する際、送風手段であるファンを空調衣服に形成される取付孔に取り付けるとともに、二次電池を格納した筐体を空調衣服のポケットなどに収納する。ファンへの電力は二次電池からケーブルを経由して供給される。
【先行技術文献】
【特許文献】
【０００３】
【特許文献１】ＷＯ２００５／０８２１８２号公報
【発明の概要】
【発明が解決しようとする課題】
【０００４】
ところで、上記特許文献１に開示される送風機によると、空調衣服の着用者が送風機を動作させている状態で自在に移動可能になるとの利点がある。しかし、着用者の動作により空調衣服が変形するため、空調衣服内部に配設されているケーブルやケーブル端子が損傷し易いという問題がある。
【０００５】
そこで本発明は、上記従来の問題点を解決すべく、ケーブル或いはケーブル端子の損傷を抑制することにより、送風機に安定的に電力を供給できる空調衣服用送風機及び空調衣服を提供することを目的とする。
【課題を解決するための手段】
【０００６】
上記目的を達成するため、請求項１にかかる発明は、モータにより駆動するファンを有する送風ユニットと、前記送風ユニットに電力を供給する電源ユニットとを備える空調衣服用送風機であって、前記送風ユニットは、前記ファンを収容する第１筐体を備え、前記電源ユニットは、電池を収容する第２筐体を備え、前記第１筐体は、前記電源ユニットにより供給される電力を通電可能な第１接触部を備え、前記第２筐体は、前記第１接触部に対応する位置に配置されるとともに、前記第１接触部に当接する第２接触部を備え、前記第１筐体と前記第２筐体とは、互いに着脱自在に係合可能な形状を備えることを特徴とする構成である。
【０００７】
請求項２にかかる発明は、請求項１に記載の空調衣服用送風機において、前記第１筐体は、端部から外方に延出する第１フランジをさらに備え、前記第２筐体は、前記第１筐体と係合する際に前記第１フランジと当接する第１受け部をさらに備え、前記第１筐体と前記第２筐体とが係合する際に、前記第１フランジと前記第１受け部との間に、空調衣服に形成される取付孔の周縁を挟持可能であることを特徴とする構成である。
【０００８】
請求項３にかかる発明は、請求項１に記載の空調衣服用送風機において、前記第２筐体は、端部から外方に延出する第２フランジをさらに備え、前記第１筐体は、前記第２筐体と係合する際に前記第２フランジと当接する第２受け部をさらに備え、前記第１筐体と前記第２筐体とが係合する際に、前記第２フランジと前記第２受け部との間に、前記空調衣服に形成される取付孔の周縁を挟持可能であることを特徴とする構成である。
【０００９】
請求項４にかかる発明は、請求項１乃至３のいずれかに記載の空調衣服用送風機において、第２筐体は、薬剤を収納可能な収納部をさらに備え、前記収納部は、前記第１筐体に対向する側に通気部を有することを特徴とする構成である。
【００１０】
請求項５にかかる発明は、請求項１乃至３のいずれかに記載の空調衣服用送風機において、前記第１筐体は、薬剤を収納可能な収納部をさらに備え、前記収納部は、気体の流動方向においてファンの前方に配設されることを特徴とする構成である。
【００１１】
請求項６にかかる発明は、請求項１乃至５のいずれかに記載の空調衣服用送風機を取付可能な取付孔を備える空調衣服である。
【００１２】
請求項７にかかる発明は、請求項６に記載の空調衣服において、袖部の基端側に形成されるとともに、前記袖部の内側の通気量を調整可能な通気調整部をさらに備える構成である。
【００１３】
請求項８にかかる発明は、ファンを駆動させるモータと電源部とを備える本体部と、前記本体部と係合する背面カバーとを備え、前記本体部と前記背面カバーとが分離可能に係合して空調衣服に装着可能な空調衣服用送風機であって、前記本体部は、前記電源部に接続する通電可能な第３接触部と、前記モータに接続する通電可能な第４接触部とを備え、前記背面カバーは、前記第３接触部及び前記第４接触部と当接する導電部を備え、前記導電部は、前記本体部と前記背面カバーとが係合する際に、前記第３接触部に当接するとともに前記第４接触部に当接して、前記電源部から前記モータに供給される電力を中継することを特徴とする構成である。
【００１４】
請求項９にかかる発明は、請求項８に記載の空調衣服用送風機において、前記本体部は、前記背面カバーと係合する第１係止部をさらに備え、前記背面カバーは、前記本体部の前記第１係止部と係合する第２係止部をさらに備え、前記第３接触部及び前記第４接触部は、前記第１係止部において互いに分離して配設され、前記導電部は、前記第２係止部において前記第３接触部及び前記第４接触部に対応する位置に配設されることを特徴とする構成である。
【発明の効果】
【００１５】
本発明によれば、送風ユニットと電源ユニットとを係合させることにより、送風機に安定的に電力を供給することができる。
【図面の簡単な説明】
【００１６】
【図１】第１実施形態における空調衣服用送風機の正面図である。
【図２】第１実施形態における空調衣服用送風機の側面図である。
【図３】第１実施形態における電源ユニットの斜視図である。
【図４】第１実施形態における電源ユニットの正面図である。
【図５】第１実施形態における電源ユニットの拡大図である。
【図６】第１実施形態における送風ユニットの側面図である。
【図７】第１実施形態における空調衣服用送風機の構成の一例を示す図である。
【図８】第２実施形態における空調衣服用送風機の構成の一例を示す図である。
【図９】第２実施形態における電源ユニットの背面図である。
【図１０】第３実施形態における空調衣服用送風機の構成の一例を示す図である。
【図１１】第４実施形態における空調衣服用送風機の構成の一例を示す図である。
【図１２】第４実施形態における送風ユニットの正面図である。
【図１３】第４実施形態における背面カバーの斜視図である。
【図１４】空調衣服用送風機の空調衣服への装着の一例を示す図である。
【発明を実施するための形態】
【００１７】
以下、本発明の好ましい実施形態について、図面を参照しつつ詳細に説明する。なお、以下において参照する各図面では、互いに共通する部材には同一符号を付しており、それらに関する重複する説明は省略する。
【００１８】
（第１実施形態）
図１は、本発明の第１実施形態における空調衣服用送風機１を示す正面図である。空調衣服用送風機１は、空調衣服１００に装着して使用されるものである。空調衣服用送風機１は、空調衣服１００に形成される取付孔に挿通させることにより空調衣服１００に装着する。空調衣服用送風機１は、モータにより駆動するファンを有する送風ユニット２と、送風ユニット２に電力を供給する電源ユニット３とを備えて構成される。
【００１９】
送風ユニット２は、ファンと、ファンを駆動させるモータと、ファン及びモータを収容する第１筐体６とを備える。第１筐体６は、正面視円状に樹脂にて形成され、モータ及びファンを収容する。第１筐体６は、電源ユニット３から供給される電力を通電可能な第１接触部１４を備える。ファンは、回転軸４２に接合される。
【００２０】
第１接触部１４は、通電可能な金属板により構成される。第１接触部１４は、第１筐体６における所望の位置に配設可能であり、好ましくは、電源ユニット３に備えられる第２筐体８と近接する位置に配設される。第１接触部１４は、第１筐体６と一体形成されてもよいし、分離可能であってもよい。
【００２１】
電源ユニット３は、電池を収容可能な第２筐体８を備える。第２筐体８は、正面視略矩形状に形成される。第２筐体８は、前面側から背面側に貫通する貫通孔を有する。貫通孔は、第１筐体６を挿通可能な形状に形成され、好ましくは、第１筐体６を貫通孔に挿通させて係合可能な形状に形成される。
【００２２】
第２筐体８は、バッテリ１０を収容する保持部１２を複数備える。バッテリ１０は、例えば蓄電池により構成される。第２筐体８は、バッテリ１０から電力を第１筐体６に収容されるモータに供給するための第２接触部１６を備える。第２接触部１６は、通電可能な金属板などにより構成される。第２接触部１６は、第１接触部１４に対応する位置に配設される。第２接触部１６は、第１筐体６と第２筐体８とが係合する際に、第１接触部１４と当接する。図例では、第２接触部１６は、第２筐体８に形成される貫通孔周縁の第１接触部１４に対応する位置に配設される。第２接触部１６は、第２筐体８と一体形成されてもよいし、分離可能であってもよい。
【００２３】
図２は、第１実施形態における空調衣服用送風機１の側面図である。送風ユニット２は、電源ユニット３と着脱自在に係合する。送風ユニット２は、電源ユニット３の第２筐体８に形成される貫通孔に第１筐体６を挿通させることにより電源ユニット３に係合する。
【００２４】
第１筐体６は、フランジ２０を備える。フランジ２０は、ファンを回転させた場合における気流方向Ｆ１から見て第１筐体６の後方側に形成される。フランジ２０は、第１筐体６の後方側の外縁から外側に延出して形成される。
【００２５】
第１筐体６を第２筐体８に形成される貫通孔に気流方向Ｆ１から挿通させると、フランジ２０が第２筐体８の貫通孔周縁に当接する。すなわち、フランジ２０と第２筐体８の貫通孔周縁とが当接することにより、第１筐体６と第２筐体８とが係合する。
【００２６】
第１筐体６と第２筐体８とが係合する際に、第２筐体８は、第１筐体６における回転軸４２を中心とするファンの外径より外側に配置される。回転軸４２を中心としてファンが回転する際、気流方向Ｆ１に空気が流れる。第２筐体８がファンの外径より外側に配置されていることにより、第２筐体８が空気の流れの妨げとなることを防止できる。
【００２７】
第１筐体６と第２筐体８とが係合する際に、第１接触部１４と第２接触部１６とが当接する。これにより、電源ユニット３から送風ユニット２に電力が供給され、送風ユニット２のモータが駆動するのである。第１接触部１４は、図示しないがバネなどにより第２接触部１６に当接する方向に付勢されてもよい。或いはこれとは異なり、第２接触部１６が第１接触部１４に当接する方向にバネなどにより付勢されてもよい。これにより、第１接触部１４と第２接触部１６とがより確実に当接し、良好に通電可能となる。
【００２８】
モータの駆動によってファンが回転すると、空調衣服１００の外側から空気を吸入するとともに、空調衣服１００内において気流方向Ｆ１に向かって空気が排出される。空調衣服１００内に排出された空気は、袖部や首部における開口から外部に排出される。すなわち、空調衣服１００内の空気が沈滞することなく流れるため、着用者の皮膚表面から熱を奪うのである。これにより、着用者の体温の異常な上昇を防止し、熱中症などを回避できるのである。
【００２９】
図３は、第１実施形態における電源ユニット３の一例を示す斜視図である。第２筐体８は、厚さ方向に貫通する貫通孔を備える。貫通孔は、正面視第１筐体６の断面と略同形状に形成されるとともに、第１筐体６を挿通可能である。
【００３０】
第２筐体８は、薬剤を収納可能な収納部３２を備える。収納部３２は、貫通孔周縁に設けられるとともに、貫通孔と壁面にて隔てられる。収納部３２は、貫通孔側の壁面に通気部３０を備える。通気部３０は壁面を貫通する孔により構成されてもよいし、通気可能な繊維により構成されてもよい。図３に示す例では、通気部３０は収納部３２と貫通孔とを隔てる壁面に形成される切り欠きである。
【００３１】
収納部３２には、消臭剤や防虫剤などの薬剤を浸潤させた布や綿などの繊維を有するものを収容可能である。通気部３０を経由して、ファン側から空気が流入し、或いは収納部３２からファン側に空気が流出する。通気部３０の構成・機能等について後述する。
【００３２】
図４は、第１実施形態における電源ユニット３の一例を示す正面図である。上述したとおり、第２筐体８は中央付近に厚さ方向に貫通孔を有する。第２筐体８は、バッテリ１０を収納する保持部１２を貫通孔周縁に備える。保持部１２は、バッテリ１０の形状に対応する形状に形成される枠であり、第２筐体８に一体形成される。
【００３３】
図３及び図４に示す例では、第２筐体８は複数の保持部１２を備える場合を示したが、これとは異なり、複数のバッテリ１０を収容可能な一の保持部１２を備えてもよい。これにより、第２筐体８の形成のための工数を減少させることができる。
【００３４】
第２筐体８は、貫通孔の内周面に第２接触部１６を備える。第２接触部１６は、第１筐体６に形成される第１接触部１４に対応する位置に配設される。第２接触部１６は、バネ等により貫通孔中心軸方向に付勢されてもよい。
【００３５】
第２筐体８は、貫通孔周縁に薬剤を収納可能な収納部３２を備える。上述したとおり収納部３２は、貫通孔周縁に備えられる。収納部３２は、送風ユニット２と電源ユニット３が係合する際にファンの外縁近傍に位置するように配置される。収納部３２は、収納部３２と貫通孔とを隔てる壁面に通気部３０を備える。通気部３０は、貫通孔とを隔てる壁面に貫設される孔であってもよいし、切欠きであってもよい。
【００３６】
図５は、第１実施形態における通気部３０周辺を拡大する図である。図５（ａ）の例では、通気部３０は、収納部３２と貫通孔とを隔てる壁面の上辺に形成される切欠きである。ファンの回転により気流方向Ｆ１（図２参照）に空気が押し出されると、ファン側の気圧が収納部３２内の気圧と比較して高くなる。
【００３７】
そのため、ファン側から通気部３０を経由して空気が収納部３２内に流入する。収納部３２は気流方向Ｆ１に向かって後方であってファンに対向していない壁面に孔を有する（図示せず）。ファン側から流入した空気がこの孔から流出する際に、収納部３２に配置される薬剤が気化することにより発生する粒子が空気とともに排出される。
【００３８】
空気とともに排出される粒子は、電源ユニット３及び送風ユニット２に形成される溝を経由して空調衣服１００外に排出される。例えば収納部３２内に防虫剤を浸潤させた繊維等を配置することにより、ファンが回転すると防虫剤が気化して発生する粒子が空調衣服１００外に排出される。これにより、粒子が空調衣服１００の周辺に浮遊するため、着用者の身辺から害虫などを遠ざけることが可能となる。
【００３９】
なお、通気部３０は、ファン側から収納部３２側にかけて、気流方向Ｆ１に対して漸次前方側に傾斜するとより好ましい。気流方向Ｆ１に向かって押し出される空気が、ファン側から通気部３０にさらに流入し易くなるからである。
【００４０】
図５（ｂ）に示す例では、通気部３０は、収納部３２と貫通孔とを隔てる壁面に貫設される孔である。図例では、通気部３０は気流方向Ｆ１（図２参照）に向かって後方に形成される。ファンが回転することにより、ファン側の空気は収納部３２内の空気に比べて気圧が高まる。
【００４１】
この場合、気圧の高いファン側の空気が通気部３０を経由して収納部３２内に流入する。それとともに、気圧の低い収納部３２内の空気が通気部３０からファン側に押し出される。これにより、収納部３２内において薬剤が気化して発生する粒子が通気部３０を経由してファン側に排出される。そして、これら粒子はファンの回転により惹起される気流方向Ｆ１に向かって拡散される。
【００４２】
例えば、収納部３２内に消臭剤等を浸潤させた繊維が配置される場合に、気化した消臭剤等の粒子は通気部３０を経由してファン側に排出されるとともに、気流方向Ｆ１に向かって空調衣服内に拡散される。
【００４３】
この場合、通気部３０を構成する孔は、収納部３２からファン側にかけて、気流方向Ｆ１に対して漸次前方側に傾斜するのがより好ましい。これにより、気圧の低い収納部３２内の空気が通気部３０を通ってファン側に排出され易くなるため、薬剤の粒子がファン側に効率的に排出される。
【００４４】
図６は、第１実施形態における送風ユニット２の一例を示す側面図である。送風ユニット２は、ファンとモータとを収容する第１筐体６を備える。第１筐体６は、電源ユニット３から供給される電力を通電可能な第１接触部１４と、背面側に形成されるフランジ２０（第１フランジ）とを備える。
【００４５】
第１筐体６は、ファンと、モータを格納するモータ格納部４０と、モータ格納部４０から気流方向Ｆ１に向かって立設する回転軸４２とを収容する。モータは、ＡＣモータを用いてもよいし、ＤＣモータでもよい。第１筐体６は、側面視ドーム状に構成され、ファンが回転することにより発生する気流方向Ｆ１に向かって尖塔を形成する。
【００４６】
第１接触部１４は、第１筐体６の側壁に突出して形成される。第１接触部１４は、第２筐体８における第２接触部１６に対応する位置に配設される。第１接触部１４は、外方に向けてバネ等により付勢されてもよい。
【００４７】
フランジ２０（第１フランジ）は、気流方向Ｆ１に向かって後方側の第１筐体６の端部から外方に連続して延出する。フランジ２０は、第１筐体６と一体形成されてもよいし、分離可能に合着されてもよい。
【００４８】
図７は、第１実施形態における空調衣服用送風機１の構成の一例を示す側面図である。本実施形態における空調衣服用送風機１を空調衣服１００に装着する際に、送風ユニット２を空調衣服１００の外面側から取付孔に気流方向Ｆ１に向かって挿通させる。フランジ２０（第１フランジ）は、取付孔周縁の布に当接するサイズに形成される。フランジ２０（第１フランジ）が取付孔周縁の布に当接することにより、送風ユニット２の空調衣服１００への進入が止まる。
【００４９】
フランジ２０（第１フランジ）が取付孔周縁の布に当接している状態で、空調衣服１００の内面側から送風ユニット２を電源ユニット３の貫通孔に挿通させる。第２筐体８の貫通孔は、第１筐体６の回転軸４２に直交する断面形状に対応する形状を備える。そのため、送風ユニット２は電源ユニット３の貫通孔に挿通されるとともに、両者は良好に係合する。
【００５０】
送風ユニット２と電源ユニット３とが係合すると、第１接触部１４と第２接触部１６とが当接する。これにより、電源ユニット３から送風ユニット２に電力が供給される。電源ユニット３から送風ユニット２へケーブルを経由することなく電力が供給されるため、空調衣服１００の着用者の動作にかかわらずケーブルの破損のおそれがなく、安定的に電力を供給可能となる。さらに、第１接触部１４と第２接触部１６とが互いに押圧し合うことにより、送風ユニット２と電源ユニット３との係合がより強固になる。
【００５１】
第２筐体８は、受け部２２（第１受け部）を備える。空調衣服１００に空調衣服用送風機１が装着される際に、受け部２２（第１受け部）は、フランジ２０（第１フランジ）との間に取付孔周縁の布を挟持する。これにより、空調衣服用送風機１は、空調衣服１００から脱落することなく良好に装着可能となる。
【００５２】
本実施形態において送風ユニット２は、モータのＯＮ／ＯＦＦを制御する操作部を第１筐体６における気流方向Ｆ１に向かって後方側に配設する。空調衣服１００に空調衣服用送風機１を装着すると、操作部が外面側に露出する。そのため、空調衣服用送風機１のＯＮ／ＯＦＦの切替操作を容易に行うことが可能となる。
【００５３】
（第２実施形態）
図８は、本発明の第２実施形態における空調衣服用送風機１を示す側面図である。第２実施形態において、送風ユニット２はファンを収容する第１筐体６を備える。第１筐体６は、ドーム状の尖塔部付近にモータ格納部５０を備える。第１筐体６は、モータ格納部５０は回転軸４２の一端側に接続する。
【００５４】
回転軸４２の反対側端部に、第１接触部１４を備える。第２実施形態において、第１接触部１４は導電性を有する金属により構成されるピンホールである。第１接触部１４は、気流方向Ｆ１に向かって後方側に形成される。第１接触部１４は、第２筐体８に形成される第２接触部１６に対応する位置に形成される。
【００５５】
電源ユニット３は、第２筐体８を備える。第２実施形態において、第２筐体８は前面側の中央部近傍にバッテリ１０を収納する保持部１２を備えるとともに、第２接触部１６を備える。第２接触部１６は、前面側中央部近傍において、第１接触部１４に対応する位置に形成される。保持部１２は、前面側中央近傍において前方向に突出して形成される。
【００５６】
第２実施形態において、第２筐体８は後方部の中心から延出するフランジ６０（第２フランジ）を備える。第１筐体６は、フランジ６０と当接可能な受け部６２（第２受け部）を備える。
【００５７】
第２実施形態における空調衣服用送風機１を空調衣服１００に装着する方法を説明する。空調衣服１００の取付孔を挟んで内面側に送風ユニット２を配置するとともに、空調衣服１００の取付孔を挟んで外面側に電源ユニット３を配置する。第２筐体８の中央部近傍に形成される保持部１２及び第２接触部１６を取付孔に挿通させ、空調衣服１００の内面側に配置される第１接触部１４と第２接触部１６とを当接させる。
【００５８】
第１筐体６の背面は、保持部１２を含む第２筐体８の前面に係合可能な形状に形成される。そのため、第２筐体８の前面が第１筐体６の背面に係合するとともに、第１接触部１４と第２接触部１６とが当接する。第１接触部１４と第２接触部１６とはケーブルを経由することなく当接することにより通電可能となる。これにより、電源ユニット３から送風ユニット２に対してケーブルを経由することなく電力を供給可能となるため、空調衣服１００の着用者の動作にかかわらずケーブルの損傷は発生せず、安定的に電力を供給できる。
【００５９】
フランジ６０（第２フランジ）は取付孔より大きいサイズを有する。そのため、フランジ６０（第２フランジ）は取付孔周縁の布に当接する。また、受け部６２（第２受け部）は取付孔周縁の布をフランジ６０（第２フランジ）と挟持する。そのため、取付孔を挟んで送風ユニット２と電源ユニット３とを係合させることにより、空調衣服用送風機１を空調衣服１００に簡便に装着できるとともに、空調衣服１００からの脱落を防止できる。
【００６０】
図９は、第２実施形態における電源ユニット３の背面図である。第２筐体８は、中央部近傍に保持部１２を備え、中心から放射状に延びる複数のスポーク７０を備える。スポーク７０の外側端部から連続してフランジ６０（第２フランジ）が外側に延出する。
【００６１】
スポーク７０同士の間には通気可能な空隙が形成されるため、ファンの回転に応じてこの空隙を通って空気がファンの方向に吸い込まれる。フランジ６０（第２フランジ）は受け部６２（第２受け部）に当接可能に形成され、所定幅を有する。第２実施形態における第２筐体８の背面の径は、空調衣服１００の取付孔の径より大きい。
【００６２】
そのため、フランジ６０（第２フランジ）は、空調衣服１００に装着する際に、取付孔周縁の布に当接する。そして、取付孔を挟んで内面側から送風ユニット２の受け部６２（第２受け部）がフランジ６０（第２フランジ）に当接可能な位置に配設されることから、フランジ６０（第２フランジ）と受け部６２（第２受け部）により取付孔周縁の布が挟持される。
【００６３】
第２実施形態において、第２筐体８は、気流方向Ｆ１に向かって背面側に発光部を備えてもよい。一例として、発光部は、第２筐体８の背面側の所定位置にＬＥＤランプを配置し、バッテリ１０から供給される電力により発光する。或いはこれとは異なり、発光部は、第２筐体８の背面側の所定位置に蛍光塗料或いは燐光塗料を塗布することにより、光を反射或いは放射してもよい。
【００６４】
（第３実施形態）
図９は、本発明の第３実施形態における空調衣服用送風機１の側面図である。第３実施形態における空調衣服用送風機１は、送風ユニット２と、送風ユニット２に電力を供給する電源ユニット３と、空調衣服１００の取付孔周縁の布をフランジ２０（第１フランジ）と挟持する留めリング７４とを備える。
【００６５】
送風ユニット２は、ファンを収容する第１筐体６を備える。第１筐体６は、側面の所定位置に第１接触部１４を備える。第３実施形態における第１接触部１４は、導電性を有する金属により鈎状に形成される。
【００６６】
第１筐体６は、消臭剤や防虫剤などの薬剤を浸潤させた布等の繊維で構成される物を収納する収納部（図示せず）をドーム状の尖塔部近傍に備えてもよい。収納部は、外方に通気部を備える。気流方向Ｆ１に向かってファンの前方側に収納部が配設されることにより、ファンの回転により生じる気流によって薬剤の粒子が良好に拡散可能となる。
【００６７】
電源ユニット３はバッテリ１０を収容する第２筐体８を備える。第２筐体８は、第１筐体６の第１接触部１４に係合可能な第２接触部１６を備える。第２接触部１６は、第２筐体８の外方に鈎状に突出する形状であり、第１接触部１４に係合する。第２筐体８は、第２接触部１６が第１接触部１４に係合することにより、第１筐体６と係合する。
【００６８】
留めリング７４は中央部に孔を有するリング状に形成される。第１筐体６と第２筐体８とが係合している状態において、前方から第１筐体６を留めリング７４の孔に挿通可能である。留めリング７４の孔は、第１筐体６の回転軸４２に直交する断面形状に対応する。
【００６９】
第１筐体６が留めリング７４に挿通されると、フランジ２０（第１フランジ）が留めリング７４に当接する。第３実施形態における空調衣服用送風機１を空調衣服１００に装着する場合、空調衣服１００の外面側から第１筐体６を取付孔に挿通させる。第１筐体６のフランジ２０は取付孔より径が大きく形成されるため、取付孔周縁の布に当接する。
【００７０】
空調衣服１００の内面側から留めリング７４の孔に第１筐体６を挿通させることにより、留めリング７４とフランジ２０（第１フランジ）によって取付孔周縁の布を挟持可能となる。これにより、空調衣服用送風機１を空調衣服１００に装着でき、また、空調衣服１００からの脱落を防止できる。
【００７１】
（第４実施形態）
図１１は、本発明の第４実施形態における空調衣服用送風機１の構成を示す図である。第４実施形態において、空調衣服用送風機１は、ファンを駆動させるモータとバッテリ１０（電源部）とを備える本体部９０と、本体部９０と係合可能な背面カバー９４とを備える。
【００７２】
本体部９０は、モータを格納するモータ格納部４０と、バッテリ１０を収容する保持部１２と、回転軸４２周辺に配設されるファンとを備える。本実施形態において、これらは一の筐体内に格納される。モータ格納部４０及び保持部１２は、ファンの回転を阻害しない位置に配設される。なお、バッテリ１０とモータとは、筐体内においてケーブル等により互いに接続されるものではない。したがって、本体部９０のみではモータに電力が供給されないため、モータは駆動しない。
【００７３】
本体部９０は、背面カバー９４に形成される第２係止部７６と係合する第１係止部７５を備える。第１係止部７５は、例えば筐体の内面に形成される螺子溝である。これとは異なり、第１係止部７５は、筐体の外面に形成されてもよい。
【００７４】
背面カバー９４は、気流方向Ｆ１に向かって本体部９０の背面側に係合するとともに、本体部９０の背面側を閉塞することにより、本体部９０の筐体内に配設されるモータ等の構成要素を保護する部材である。背面カバー９４は、本体部９０の第１係止部７５に対応する位置に第２係止部７６を備える。第２係止部７６は、第１係止部７５に対応する形状に形成される螺子溝である。
【００７５】
本体部９０と背面カバー９４とが係合する際に、これら両者の当接する部位において、空調衣服１００に形成される取付孔周縁の布を挟持する。これにより、本実施形態における空調衣服用送風機１が空調衣服１００に装着される場合に、空調衣服１００から脱落するのを抑制する。
【００７６】
なお、上記とは異なり、本体部９０と背面カバー９４とは、互いに嵌合する形状を備えてもよい。この場合に、本体部９０は第１係止部７５を有していなくてもよいし、背面カバー９４は第２係止部７６を有していなくてもよい。
【００７７】
図１２は、第４実施形態における本体部９０の正面図である。本体部９０は、上述したとおり筐体内にモータ格納部４０と保持部１２とを備える。本体部９０は、筐体内周に第１係止部７５を備える。
【００７８】
本体部９０は、バッテリ１０を収容する保持部１２とケーブルにより接続する第３接触部７８を備える。第３接触部７８は通電可能な金属等により形成されるとともに、第１係止部７５内の所定位置に配設される。
【００７９】
本体部９０は、モータ格納部４０に格納されるモータとケーブルにより接続する第４接触部７９を備える。第４接触部７９は通電可能な金属等により形成される。第４接触部７９は、第１係止部７５内において第３接触部７８と接しない位置に配設される。
【００８０】
図１３は、第４実施形態における背面カバー９４の斜視図である。背面カバー９４は、本体部９０に対して背面側から係合する。背面カバー９４は、螺子溝により構成される第２係止部７６を備え、第２係止部７６は第１係止部７５と係合可能である。
【００８１】
背面カバー９４は、第３接触部７８及び第４接触部７９と当接する導電部７７を備える。導電部７７は第３接触部７８及び第４接触部７９に対応する位置に配設される。導電部７７は、本体部９０と背面カバー９４とが係合する際に、第３接触部７８と当接するとともに第４接触部７９と当接する。導電部７７は通電可能な金属等により形成される。
【００８２】
導電部７７は、第２係止部７６内に配設される。導電部７７は、第２係止部７６内において第３接触部７８及び第４接触部７９に対応する位置に配設される。すなわち、第１係止部７５と第２係止部７６とが係合する際に、導電部７７は第３接触部７８及び第４接触部７９に当接する。
【００８３】
導電部７７が第２係止部７６内に配設されるとともに、第３接触部７８及び第４接触部７９が第１係止部７５内に配設される場合に、第１係止部７５と第２係止部７６とを係合させると、導電部７７が第３接触部７８及び第４接触部７９に夫々当接することになる。そうすると、導電部７７と第３接触部７８及び第４接触部７９とを当接させるための位置合わせを行わなくとも、第１係止部７５と第２係止部７６とを係合させれば十分なのであり、作業の効率性が高まる。
【００８４】
導電部７７は、第３接触部７８及び第４接触部７９と当接すると、両者の間において電力を中継する。すなわち、バッテリ１０から第３接触部７８に送電され、第３接触部７８から導電部７７を中継して第４接触部７９に電力が到達する。そして、第４接触部７９からケーブルを経てモータ格納部４０に格納されるモータに電力が供給される。
【００８５】
本体部９０と背面カバー９４とが係合することにより、モータに電力が供給されて駆動可能となる。本実施形態における空調衣服用送風機１を使用しないときには背面カバー９４と本体部９０とを分離しておくことにより、バッテリ１０の電力損耗を抑制することが可能となる。
【００８６】
また、本体部９０と背面カバー９４とが係合していない状態では、本体部９０の背面側が開口する。背面カバー９４と係合していない状態においてモータへ電力が供給されないため、幼児が本体部９０の開口から指を内部に挿入した場合でも、ファンの回転による指の損傷は生じず、安全性が高まる。
【００８７】
なお、第３接触部７８及び第４接触部７９は第１係止部７５外に配設されてもよいし、導電部７７は第２係止部７６外に配設されてもよい。導電部７７は、本体部９０と背面カバー９４とが係合する際に、第３接触部７８及び第４接触部７９と当接する。
【００８８】
（空調衣服１００について）
図１４は、空調衣服用送風機１を取り付けた空調衣服１００の一例を示す図である。図１４（ａ）は、空調衣服用送風機１を装着した状態の空調衣服１００の背面図である。空調衣服１００は、取付孔を背面側下部に備える。図例では複数の取付孔を備える場合を示すが、取付孔は一つであってもよい。
【００８９】
空調衣服用送風機１が駆動すると、空調衣服１００の外側から空気を吸入して空調衣服１００の内側に排出する。これにより、空調衣服１００を着用する着用者の汗の蒸発を促し、着用者の体温の上昇を抑制する。
【００９０】
空調衣服１００は、肩部と袖部との境付近に絞り部１０４（通気調整部）を備える。絞り部１０４（通気調整部）はゴム等の弾性体を袖部に縫い込んで構成してもよい。或いは、袖部に内周幅の調整用ひもを巻回させて構成してもよい。絞り部１０４（通気調整部）は、空調衣服１００の胴体部から袖部に流入する空気量を調整する機能を備える。
【００９１】
絞り部１０４（通気調整部）を絞ることにより袖部の内周幅を狭くすると、胴体部から袖部に流入する空気量が少なくなる。空調衣服用送風機１が駆動すると、空調衣服用送風機１を通して空調衣服１００内に空気が流入するため、空調衣服１００内側の空気の容積が増大し、空調衣服１００が膨張する。絞り部１０４（通気調整部）を絞ると、袖部内周幅が狭くなるため、袖部への空気流入量を抑制できるため、袖部が空気で膨張するのを抑制できる。これにより、着用者の腕の動きが膨張した袖部により妨げられるのを防止できるのである。
【００９２】
図１４（ｂ）は、空調衣服用送風機１の装着箇所を拡大した図である。図例では、第１筐体６のフランジ２０（第１フランジ）が空調衣服１００の外側に露出するとともに、第２筐体８は空調衣服１００の内側に隠蔽される。
【００９３】
取付孔周縁の布がフランジ２０（第１フランジ）と受け部２２（第１受け部）により挟持されるため、空調衣服用送風機１が良好に装着される。また、第１筐体６の背面側にモータ駆動を制御する操作部を取り付けてもよい。空調衣服１００から露出する箇所に操作部が備えられることにより、着用者が容易に操作可能となる。
【００９４】
（変形例）
以上、本発明に関する実施形態について説明したが、本発明は上記実施形態において説明したものに限定されるものではなく、種々の変形例が適用可能である。
【００９５】
例えば上記実施形態では、薬剤を浸潤させた布などを収納可能な収納部３２を備える場合について説明した。しかし、本発明はこれに限らず、第１筐体６は薬剤を浸潤させた布などを配置できる薬剤配置部を備えてもよい。一例として薬剤配置部は、第１筐体６の気流方向Ｆ１に向かって前方の表面側に備えられ、布を貼付可能な平板状の樹脂にて構成される。薬剤配置部は通気孔を備えてもよい。
【００９６】
例えば上記実施形態では、第１筐体６と第２筐体８とを嵌め合わせることにより送風ユニット２と電源ユニット３とを係合させる場合を説明した。しかし、本発明はこれに限らず、送風ユニット２と電源ユニット３とを係合させるため、例えば螺子部材等を用いてもよい。
【符号の説明】
【００９７】
１      空調衣服用送風機
２      送風ユニット
３      電源ユニット
６      第１筐体
８      第２筐体
１２    保持部
１４    第１接触部
１６    第２接触部
２０    フランジ（第１フランジ）
２２    受け部（第１受け部）
３０    通気部
６０    フランジ（第２フランジ）
６２    受け部（第２受け部）
７５    第１係止部
７６    第２係止部
７７    導電部
７８    第３接触部
７９    第４接触部
９０    本体部
９４    背面カバー
１００  空調衣服
１０４  絞り部（通気調整部）
Ｆ１  気流方向
【図１】
2020063532.tif 000003
【図２】
2020063532.tif 000004
【図３】
2020063532.tif 000005
【図４】
2020063532.tif 000006
【図５】
2020063532.tif 000007
【図６】
2020063532.tif 000008
【図７】
2020063532.tif 000009
【図８】
2020063532.tif 000010
【図９】
2020063532.tif 000011
【図１０】
2020063532.tif 000012
【図１１】
2020063532.tif 000013
【図１２】
2020063532.tif 000014
【図１３】
2020063532.tif 000015
【図１４】
2020063532.tif 000016
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
モータにより駆動するファンを有する送風ユニットと、前記送風ユニットに電力を供給する電源ユニットとを備える空調衣服用送風機であって、
前記送風ユニットは、
前記ファンを収容する第１筐体、
を備え、
前記電源ユニットは、
電池を収容する第２筐体、
を備え、
前記第１筐体は、
前記電源ユニットにより供給される電力を通電可能な第１接触部と、
端部から外方に延出する第１フランジと、
を備え、
前記第２筐体は、
前記ファンの回転軸方向に前記第１筐体を挿通可能な貫通孔と、
前記電池を収容する複数の保持部と、
前記第１接触部に対応する位置に配置されるとともに、前記第１接触部に当接する第２接触部と、
前記第１筐体と係合する際に前記第１フランジと当接する第１受け部と、
を備え、
前記第１筐体と前記第２筐体とは、互いに着脱自在に係合可能な形状を備えるとともに、前記第１筐体と前記第２筐体とが係合する際に、前記第１フランジと前記第１受け部との間に、空調衣服に形成される取付孔の周縁を挟持し、
前記複数の保持部は、前記貫通孔周辺に偏在する所定領域内に配置されることを特徴とする空調衣服用送風機。
【請求項２】
前記第１筐体は、
薬剤を収納可能な収納部、
をさらに備え、
前記収納部は、気体の流動方向において前記ファンの前方に配設されることを特徴とする請求項１に記載の空調衣服用送風機。
【請求項３】
モータにより駆動するファンを有する送風ユニットと、前記送風ユニットに電力を供給する電源ユニットとを備える空調衣服用送風機であって、
前記送風ユニットは、
前記ファンを収容する第１筐体、
を備え、
前記電源ユニットは、
電池を収容する保持部と、前記ファンの回転軸方向に前記第１筐体を挿通可能な貫通孔とを備える第２筐体、
を備え、
前記第１筐体は、
前記電源ユニットにより供給される電力を通電可能な第１接触部、
を備え、
前記第２筐体は、
前記第１接触部に対応する位置に配置されるとともに、前記第１接触部に当接する第２接触部と、
薬剤を収納可能な収納部と、
を備え、
前記第１筐体と前記第２筐体とは、互いに着脱自在に係合可能な形状を備え、
前記収納部は、
前記回転軸方向における前記ファンの外径より外側に配設され、
前記ファンに対向する側に通気部を有することを特徴とする空調衣服用送風機。
【請求項４】
請求項１乃至３のいずれかに記載の空調衣服用送風機を取り付けられた空調衣服。
【請求項５】
袖部の基端側に形成されるとともに、前記袖部の内側の通気量を調整可能な通気調整部、
をさらに備える請求項４に記載の空調衣服。
【請求項６】
ファンを駆動させるモータと電源部とを備える本体部と、前記本体部と係合する背面カバーとを備え、前記本体部と前記背面カバーとが分離可能に係合して空調衣服に装着可能な空調衣服用送風機であって、
前記本体部は、
前記電源部に接続する通電可能な第３接触部と、
前記モータに接続する通電可能な第４接触部と、
を備え、
前記背面カバーは、
前記第３接触部及び前記第４接触部と当接する導電部、
を備え、
前記導電部は、前記本体部と前記背面カバーとが係合する際に、前記第３接触部に当接するとともに前記第４接触部に当接して、前記電源部から前記モータに供給される電力を中継することを特徴とする空調衣服用送風機。
【請求項７】
前記本体部は、
前記背面カバーと係合する第１係止部、
をさらに備え、
前記背面カバーは、
前記本体部の前記第１係止部と係合する第２係止部、
をさらに備え、
前記第３接触部及び前記第４接触部は、前記第１係止部において互いに分離して配設され、
前記導電部は、前記第２係止部において前記第３接触部及び前記第４接触部に対応する位置に配設されることを特徴とする請求項６に記載の空調衣服用送風機。
【手続補正２】
【補正対象書類名】明細書
【補正対象項目名】０００６
【補正方法】変更
【補正の内容】
【０００６】
上記目的を達成するため、請求項１にかかる発明は、モータにより駆動するファンを有する送風ユニットと、前記送風ユニットに電力を供給する電源ユニットとを備える空調衣服用送風機であって、前記送風ユニットは、前記ファンを収容する第１筐体を備え、前記電源ユニットは、電池を収容する第２筐体を備え、前記第１筐体は、前記電源ユニットにより供給される電力を通電可能な第１接触部と、端部から外方に延出する第１フランジとを備え、前記第２筐体は、前記ファンの回転軸方向に前記第１筐体を挿通可能な貫通孔と、前記電池を収容する複数の保持部と、前記第１接触部に対応する位置に配置されるとともに、前記第１接触部に当接する第２接触部と、前記第１筐体と係合する際に前記第１フランジと当接する第１受け部とを備え、前記第１筐体と前記第２筐体とは、互いに着脱自在に係合可能な形状を備えるとともに、前記第１筐体と前記第２筐体とが係合する際に、前記第１フランジと前記第１受け部との間に、空調衣服に形成される取付孔の周縁を挟持し、前記複数の保持部は、前記貫通孔周辺に偏在する所定領域内に配置されることを特徴とする構成である。
【手続補正３】
【補正対象書類名】明細書
【補正対象項目名】０００７
【補正方法】変更
【補正の内容】
【０００７】
請求項２にかかる発明は、請求項１に記載の空調衣服用送風機において、前記第１筐体は、薬剤を収納可能な収納部をさらに備え、前記収納部は、気体の流動方向において前記ファンの前方に配設されることを特徴とする構成である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３にかかる発明は、モータにより駆動するファンを有する送風ユニットと、前記送風ユニットに電力を供給する電源ユニットとを備える空調衣服用送風機であって、前記送風ユニットは、前記ファンを収容する第１筐体を備え、前記電源ユニットは、電池を収容する保持部と、前記ファンの回転軸方向に前記第１筐体を挿通可能な貫通孔とを備える第２筐体を備え、前記第１筐体は、前記電源ユニットにより供給される電力を通電可能な第１接触部を備え、前記第２筐体は、前記第１接触部に対応する位置に配置されるとともに、前記第１接触部に当接する第２接触部と、薬剤を収納可能な収納部とを備え、前記第１筐体と前記第２筐体とは、互いに着脱自在に係合可能な形状を備え、前記収納部は、前記回転軸方向における前記ファンの外径より外側に配設され、前記ファンに対向する側に通気部を有することを特徴とする構成である。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項４にかかる発明は、請求項１乃至３のいずれかに記載の空調衣服用送風機を取り付けられた空調衣服である。
【手続補正８】
【補正対象書類名】明細書
【補正対象項目名】００１２
【補正方法】変更
【補正の内容】
【００１２】
請求項５にかかる発明は、請求項４に記載の空調衣服において、袖部の基端側に形成されるとともに、前記袖部の内側の通気量を調整可能な通気調整部をさらに備える構成である。
【手続補正９】
【補正対象書類名】明細書
【補正対象項目名】００１３
【補正方法】変更
【補正の内容】
【００１３】
請求項６にかかる発明は、ファンを駆動させるモータと電源部とを備える本体部と、前記本体部と係合する背面カバーとを備え、前記本体部と前記背面カバーとが分離可能に係合して空調衣服に装着可能な空調衣服用送風機であって、前記本体部は、前記電源部に接続する通電可能な第３接触部と、前記モータに接続する通電可能な第４接触部とを備え、前記背面カバーは、前記第３接触部及び前記第４接触部と当接する導電部を備え、前記導電部は、前記本体部と前記背面カバーとが係合する際に、前記第３接触部に当接するとともに前記第４接触部に当接して、前記電源部から前記モータに供給される電力を中継することを特徴とする構成である。
【手続補正１０】
【補正対象書類名】明細書
【補正対象項目名】００１４
【補正方法】変更
【補正の内容】
【００１４】
請求項７にかかる発明は、請求項６に記載の空調衣服用送風機において、前記本体部は、前記背面カバーと係合する第１係止部をさらに備え、前記背面カバーは、前記本体部の前記第１係止部と係合する第２係止部をさらに備え、前記第３接触部及び前記第４接触部は、前記第１係止部において互いに分離して配設され、前記導電部は、前記第２係止部において前記第３接触部及び前記第４接触部に対応する位置に配設されることを特徴とする構成である。
【手続補正１１】
【補正対象書類名】明細書
【補正対象項目名】００６４
【補正方法】変更
【補正の内容】
【００６４】
（第３実施形態）
図１０は、本発明の第３実施形態における空調衣服用送風機１の側面図である。第３実施形態における空調衣服用送風機１は、送風ユニット２と、送風ユニット２に電力を供給する電源ユニット３と、空調衣服１００の取付孔周縁の布をフランジ２０（第１フランジ）と挟持する留めリング７４とを備える。